(57)【要約】【課題】小型かつ簡素な連結構造のプッシャーバージ型の集塵作業船を提供する。【解決手段】プッシャー１と、双胴型のバージ１０とを備える集塵作業船であって、バージ１０には、前後方向に甲板１６上を走行する集塵装置１３が設けられ、プッシャー１の船首には、の船首連結部２が設けられ、バージ１０の船尾には、船尾連結部１４が設けられ、プッシャー１の左右両端部と、バージ１０の左右両端部とは牽引条４で接続されている。したがって、造船所で作ったプッシャー１とバージ１０とを分離して陸上輸送し、湖やダムで容易に組立て、集塵作業船として使用することが出来る。【選択図】      図１
2005199732.tif 000002
【特許請求の範囲】
【請求項１】
プッシャー（１）と，双胴型のバージ（１０）とを備える集塵作業船であって、前記バージには，前後方向に甲板（１６）上を走行する集塵装置（１３）が設けられ、前記プッシャーの船首には，船首連結部（２）が設けられ、前記バージの船尾には，船尾連結部（１４）が設けられ、前記プッシャーの左右両端部と，バージの左右両端部とは牽引条（４）で接続されたことを特徴とする簡易な連結部を有するプッシャーバージ型集塵作業船。
【請求項２】
プッシャー（１）と，双胴型のバージ（１０）とを備える集塵作業船であって、前記バージには，前後方向に甲板（１６）上を走行する集塵装置（１３）が設けられ、前記プッシャーの船首には，船首連結部（２）が設けられ、前記バージには，船尾連結部（１４）が設けられ、前記プッシャーの左右両端部と，バージの左右両端部とは牽引条（４）で接続されるものであり、前記集塵装置は，集塵機能の他に，前記船首連結部を船尾連結部に連結する際に，該船首連結部と船尾連結部の高さを調整すべく，甲板（１６）上を前後方向に移動する調整機能を有すること特徴とする簡易な連結部を有するプッシャーバージ型集塵作業船。
【発明の詳細な説明】
【技術分野】
【０００１】
本発明は、主として、湖（ダム湖を含む）や河川あるいは港湾に浮遊あるいは堆積する塵芥を収集するプッシャーバージ型の集塵作業船に関するものである。
【背景技術】
【０００２】
従来、湖や河川等に浮遊あるいは堆積する塵芥を収集する作業船としては、その全体が一つの船体からなるものが使用されている（例えば、特許文献１参照）。
【特許文献１】実開平７−４０３９５号公報
【０００３】
一方、従来から、海洋を航行する大型貨物船としてバージ（台船）をプッシャー（押船）で押して航行するプッシャーバージ船が存在する（例えば、特許文献２参照）。
【特許文献２】特開平１１−２２２１８２号公報
【発明の開示】
【発明が解決しようとする課題】
【０００４】
集塵作業船は、一般に、一箇所に留まらず、陸上輸送されて複数の湖等で集塵作業を行うので、陸上輸送に容易な小型で軽量のバージ型とするのが好ましい。しかし、従来のプッシャーバージ船の構造をそのまま採り入れると、プッシャーには大掛かりな油圧シリンダーを使用した突起連結部張出し装置を設け、バージにはその船尾にプッシャーが侵入するための連結凹部と、プッシャーの突起が嵌合する凹型連結部を設ける必要があるため、必然的に大型化および重量化し、陸上輸送を必要とする集塵作業船としては好ましくなくなる。
【０００５】
また、プッシャーとバージの連結をスムースに行うために連結部の高さ調整を行う必要があるが、従来のプッシャーバージ船のように、バージの油圧シリンダーを使用して凹型連結材を上下移動させたり、深さ方向に鋸刃形状の連結部材を連続して設置し、プッシャーの凸型連結部材がどの高さでも連結できるように対応させると構造が複雑でかつ大型化してしまう。
【０００６】
本発明はこうした問題に鑑み創案されたもので、小型かつ簡素な構造で、陸上輸送が容易なプッシャーバージ型の集塵作業船を提供することを課題とする。
【課題を解決するための手段】
【０００７】
図１乃至図８を参照して説明する。この発明に係る簡易な連結部を有するプッシャーバージ型集塵作業船は、プッシャー１と，双胴型のバージ１０とを備える集塵作業船であって、前記バージ１０には、前後方向に甲板１６上を走行する集塵装置１３が設けられ、前記プッシャー１の船首には、船首連結部２が設けられ、前記バージ１０の船尾には、船尾連結部１４が設けられ、前記プッシャー１の左右両端部と、バージ１０の左右両端部とは牽引条４で接続されている。
【０００８】
詳細に説明すると、この発明に係る簡易な連結部を有するプッシャーバージ型集塵作業船は、平面略矩形状のプッシャー１と、船首側を開放して集塵凹部１１を形成した双胴型のバージ１０とを備える集塵作業船であって、前記バージ１０には、船首から船尾に至るまで前後方向に甲板１６上に敷設したレール１２を走行する集塵装置１３が設けられ、前記プッシャー１の船首の左右両角部には、平面Ｌ字状の船首連結部２が設けられ、前記バージ１０の船尾の左右両端部には、取付台１４ａを介して、前記船首連結部２の上下両面が当接する上下規制板１４ｂと、左側面または右側面が当接する左右規制板１４ｃとを備えた船尾連結部１４が設けられ、前記プッシャー１の船尾側の左右両端部と、バージ１０の船尾側左右両端部とは牽引条４で接続されるものであり、前記集塵装置１３は、集塵機能の他に、前記船首連結部２を船尾連結部１４に連結する際に、該船首連結部２と船尾連結部１４の高さを調整すべく、前記レール１２上を前後方向に移動する調整機能を有している。
【発明の効果】
【０００９】
請求項１に記載の発明に係るプッシャーバージ型集塵作業船は、プッシャー１の船首の左右両角部には、平面Ｌ字状の船首連結部２が設けられ、バージ１０の船尾の左右両端部には、取付台１４ａを介して、上下両面が当接する上下規制板１４ｂと、左側面または右側面が当接する左右規制板１４ｃとを備えた船尾連結部１４が設けられているので、バージ１０の小型化を図り、また、簡素な連結構造によって軽量化を図ることができる。従って、陸上輸送が簡単となる。
【００１０】
すなわち、バージ１０の船尾には従来のようにプッシャー１が侵入するための連結凹部を設けていないので、充分な大きさの甲板や集塵凹部１１を確保しつつ小型化を図ることができる。また、プッシャー１とバージ１０の連結も船首連結部２と船尾連結部１４によって行うので、従来のような油圧シリンダー等を必要とせず、簡素な構造とすることができる。従って、製造コストも廉価でメンテナンスも容易である。
【００１１】
なお、バージ１０上の甲板１６上を走行する集塵装置１３によって塵芥を回収し、その回収した塵芥を、同じくバージ１０に設けた集塵凹部１１に収納するようになっている。また、プッシャー１の船尾側の左右両端部と、バージ１０の船尾側左右両端部とは牽引条４で接続されている。
【００１２】
請求項２に記載の発明に係るプッシャーバージ型集塵船は、請求項１に記載の発明と同様の効果を発揮すると共に、集塵装置１３は、集塵機能の他に、船首連結部２を船尾連結部１４に連結する際に、当該船首連結部２と船尾連結部１４の高さを調整すべく、レール１２上を前後方向に移動する調整機能を有するのでプッシャー１とバージ１０を容易に連結することができる。
【００１３】
すなわち、プッシャー１の船首連結部２とバージ１０の船尾連結部１４とを連結する際に、例えば、集塵装置１３を後退させてその重量によってバージ１０の船尾を下げてトリム（首尾喫水の差異）を調整し、連結作業を容易なものとすることができる。こうして集塵装置１３に、本来の集塵機能の他に、トリムの調整機能を併せ持たせたので、バージ１０の構造をさらに簡素化および小型化することができる。
【発明を実施するための最良の形態】
【００１４】
本発明に係る簡易な連結部を有するプッシャーバージ型集塵作業船の実施形態を、図１乃至図８に示す。これは、ダム湖等の塵芥を回収する集塵作業船であって、平面略矩形状のプッシャー１と、船首側を開放して集塵凹部１１を形成した双胴型のバージ１０とを備える。この集塵凹部１１には、集塵装置１３で回収した塵芥を収納するための集塵カゴ１５を設けている。
【００１５】
このバージ１０には、船首から船尾に至るまで甲板１６上に前後方向に平行に敷設した二本のレール１２を走行する集塵装置（パワーシャベル）１３が設けられている。また、プッシャー１の船首の左右両角部には、突出部３を介して、平面Ｌ字状の船首連結部２が設けられ、バージ１０の船尾の左右両端部には、その船首連結部２が嵌入する船尾連結部１４が設けられている。当該船尾連結部１４は、取付台１４ａを介して、船首連結部２の上下両面が当接する二枚のテーパー状の上下規制板１４ｂと、左側面または右側面が当接する左右規制板１４ｃとを備えている。また、プッシャー１の船尾側の左右両端部と、バージ１０の船尾側左右両端部とはワイヤーやロープ或いはチェーン等の牽引条４で接続している。
【００１６】
この集塵作業船は、バージ１０にプッシャー１が侵入するための連結凹部を形成していないので、小型化を図ることができ、陸上輸送に有利である。また、プッシャー１とバージ１０の連結は、油圧シリンダー等の大型機構を持たない船首連結部２と船尾連結部１４で行うので、簡素な構造とすることができ、製造コストを削減し、メンテナンスを容易なものとすることができる。
【００１７】
また、バージ１０に設けた集塵装置１３によって塵芥を回収し、その塵芥を、同じくバージ１０に設けた集塵凹部１１に収納するので集塵作業が容易である。さらに、プッシャー１の船尾側の左右両端部と、バージ１０の船尾側左右両端部とを牽引条４で接続しているので、プッシャー１とバージ１０を確実に連結することができる。
【００１８】
そして、本実施形態における集塵装置１３は、ダム湖等に存在する塵芥を回収する集塵機能の他に、船首連結部２を船尾連結部１４に連結する際に、その船首連結部２と船尾連結部１４の高さを調整するために、レール１２に沿って前後方向に移動する調整機能を備える。
【００１９】
当該調整機能を図９に示す。このうち、（ａ）は集塵装置１３をバージ１０の中央部に位置させた状態を示し、この場合、バージ１０のトリムは水平レベルに保たれる。また、（ｂ）は集塵装置１３を船首側に移動させて船尾を上昇させた状態を、（ｃ）はその逆に船尾を下降させた状態を示す。
【００２０】
このように集塵装置１３を前後方向に移動させることによって、船首連結部２と船尾連結部１４の高さ調整を自在に行い、プッシャー１とバージ１０を円滑に連結する。これにより、高さ調整のための専用の機構を設ける必要がないので、バージ１０をさらに小型で簡易な構成とすることができる。
【図面の簡単な説明】
【００２１】
【図１】本発明の実施形態を示す側面図である。
【図２】本発明の実施形態を示す平面図である。
【図３】図２のＡ−Ａ線概略矢視図である。
【図４】本発明の実施形態を示す要部平面図である。
【図５】本発明の実施形態における船首連結部を示す側面図である。
【図６】本発明の実施形態における船首連結部を示す平面図である。
【図７】本発明の実施形態における船尾連結部を示す側面図である。
【図８】本発明の実施形態における船尾連結部を示す平面図である。
【図９】本発明の実施形態における集塵装置の調整機能を示す側面図である。
【符号の説明】
【００２２】
１        プッシャー
２        船首連結部
３        突出部
４        牽引条
１０      バージ
１１      集塵凹部
１２      レール
１３      集塵装置
１４      船尾連結部
１４ａ    取付台
１４ｂ    上下規制板
１４ｃ    左右規制板
１５      集塵カゴ
１６      甲板
【図１】
2005199732.tif 000003
【図２】
2005199732.tif 000004
【図３】
2005199732.tif 000005
【図４】
2005199732.tif 000006
【図５】
2005199732.tif 000007
【図６】
2005199732.tif 000008
【図７】
2005199732.tif 000009
【図８】
2005199732.tif 000010
【図９】
2005199732.tif 000011